(57)【要約】【課題】軟骨伝導性及び装着感の向上に寄与することができる軟骨伝導補聴器、軟骨伝導スピーカカバー及び軟骨伝導スピーカを提供する。【解決手段】本発明の軟骨伝導補聴器１は、耳介軟骨伝導の際に耳甲介腔壁Ｈに接触させる振動面２１と、振動面２１が耳甲介腔壁Ｈに接触したときに対耳輪Ｆ近傍から外耳道口Ｂに伸びる形状に構成される筐体２２と、を有する軟骨伝導スピーカ２と、軟骨伝導スピーカ２を保持する保持部３３と、軟骨伝導スピーカ２が保持部３３に保持されたときに振動面２１の反対側に位置する保持部３３の正面部３３ａと、振動面２１が耳甲介腔壁Ｈに接触したとき保持部３３の正面部３３ａから耳珠Ｃ及び対耳珠Ｄの間を通過して珠間切痕Ｅに向かう方向に伸びており、かつ、耳珠Ｃ内面、対耳珠Ｄ内面及び珠間切痕Ｅ表面に接触する第１突起部３１と、を有する軟骨伝導スピーカカバー３と、を備える。【選択図】図１
2016063276.tif 000002
【特許請求の範囲】
【請求項１】
耳介軟骨伝導の際に耳甲介腔壁に接触させる振動面と、前記振動面が前記耳甲介腔壁に接触したときに前記対耳輪近傍から外耳道口に伸びる形状に構成される筐体と、を有する軟骨伝導スピーカと、
前記軟骨伝導スピーカを保持する保持部と、前記軟骨伝導スピーカが前記保持部に保持されたときに前記振動面の反対側に位置する前記保持部の正面部と、前記振動面を前記耳甲介腔壁に接触させたときに前記保持部の正面部から耳珠及び対耳珠の間を通過して珠間切痕に向かう方向に伸びており、かつ、前記耳珠内面、前記対耳珠内面及び前記珠間切痕表面に接触する第１突起部と、を有する軟骨伝導スピーカカバーと、
を備えることを特徴とする軟骨伝導補聴器。
【請求項２】
前記第１突起部は、前記軟骨伝導スピーカが前記保持部に保持されたときに前記保持部の正面部から前記振動面の反対側及び前記珠間切痕に向かう方向に放物線状に伸びている
ことを特徴とする請求項１に記載の軟骨伝導補聴器。
【請求項３】
前記軟骨伝導スピーカカバーは、前記軟骨伝導スピーカが前記保持部に保持されたときに前記外耳道口の反対側に位置する前記保持部の後端面部と、前記保持部の後端面部から対耳輪に向かう方向に伸びており、かつ、前記対耳珠内面及び前記対耳輪内面のうち少なくとも前記対耳輪内面に接触する第２突起部と、を更に有する
ことを特徴とする請求項１又は請求項２に記載の軟骨伝導補聴器。
【請求項４】
前記第２突起部は、前記対耳輪の下方から前記対耳輪内面を沿って前記対耳輪の上方に向かう方向に湾曲して伸びている
ことを特徴とする請求項３に記載の軟骨伝導補聴器。
【請求項５】
前記保持部、前記第１突起部及び前記第２突起部のうち少なくとも前記第１突起部及び前記第２突起部は、軟質合成樹脂、軟質合成ゴム、エラストマその他の軟質弾性素材により構成されている
ことを特徴とする請求項１から請求項４のいずれか１項に記載の軟骨伝導補聴器。
【請求項６】
前記第１突起部及び前記第２突起部は、その根元から先端に向かって細くなる形状に構成されている
ことを特徴とする請求項１から請求項５のいずれか１項に記載の軟骨伝導補聴器。
【請求項７】
前記軟骨伝導スピーカは、前記外耳道口を部分的に開放する形状に構成されており、
前記保持部は、前記軟骨伝導スピーカが前記耳甲介腔壁に装着されたときに前記外耳道口を部分的に開放する形状に構成される
ことを特徴とする請求項１から請求項４のいずれか１項に記載の軟骨伝導補聴器。
【請求項８】
耳介軟骨伝導の際に耳甲介腔壁に接触させる振動面を有するとともに対耳輪近傍から外耳道口に伸びる形状に構成される軟骨伝導スピーカを保持する保持部と、
前記軟骨伝導スピーカが前記保持部に保持されたときに前記振動面の反対側に位置する前記保持部の正面部と、
前記軟骨伝導スピーカが前記耳甲介腔に装着されたときに前記保持部の正面部から耳珠及び対耳珠の間を通過して珠間切痕に向かう方向に伸びており、かつ、前記耳珠内面、前記対耳珠内面及び前記珠間切痕表面に接触する第１突起部と、
を備えることを特徴とする軟骨伝導スピーカカバー。
【請求項９】
耳介軟骨伝導の際に耳甲介腔壁に接触させる振動面と、
前記振動面が前記耳甲介腔壁に接触したときに前記対耳輪近傍から外耳道口に伸びる形状に構成される筐体本体部と、前記振動面が前記耳甲介腔壁に接触したときに前記振動面の反対面から耳珠及び対耳珠の間を通過して珠間切痕に向かう方向に伸びており、かつ、前記耳珠内面、前記対耳珠内面及び前記珠間切痕表面に接触する第１突起部と、を有する筐体と、
を備えることを特徴とする軟骨伝導スピーカ。
【発明の詳細な説明】
【技術分野】
【０００１】
本発明は、軟骨伝導補聴器、軟骨伝導スピーカカバー及び軟骨伝導スピーカに係り、特に、振動面を耳甲介腔壁に接触させて軟骨伝導を行う軟骨伝導スピーカに好適に利用できる軟骨伝導補聴器、軟骨伝導スピーカカバー及び軟骨伝導スピーカに関する。
【背景技術】
【０００２】
従来の軟骨伝導補聴器は、その一例として、耳介後部に装着される弓状の補聴器本体と、外耳道口近傍に当接される軟骨伝導スピーカと、補聴器本体から出力された駆動信号を軟骨伝導スピーカに伝送する被覆電線と、を備える。
【先行技術文献】
【特許文献】
【０００３】
【特許文献１】特開２０１０−１９２９７５号公報
【発明の概要】
【発明が解決しようとする課題】
【０００４】
しかしながら、従来の軟骨伝導補聴器においては、軟骨伝導スピーカが一般的なイヤホンと同様の円形状であったために、軟骨に伝導しやすい耳介内の特定部位に軟骨伝導スピーカを好適に接触させることが困難であった。その結果、従来の軟骨伝導補聴器においては、軟骨伝導性を向上させることが困難であるという問題があった。
【０００５】
また、従来の軟骨伝導補聴器においては、軟骨伝導スピーカの断面形状が円形状であるために使用者の耳形状に合わない場合があり、軟骨伝導スピーカが外れやすかったり、耳介内で回転してしまったり、外耳道口を塞いで閉塞感を与えたりするなど、使用者に不快な思いを与えるおそれがあるという問題があった。
【０００６】
そこで、本発明はこれらの点に鑑みてなされたものであり、軟骨伝導性及び装着感の向上に寄与することができる軟骨伝導補聴器、軟骨伝導スピーカカバー及び軟骨伝導スピーカを提供することを本発明の目的としている。
【課題を解決するための手段】
【０００７】
（１）前述した目的を達成するため、本発明の軟骨伝導補聴器は、耳介軟骨伝導の際に耳甲介腔壁に接触させる振動面と、振動面が耳甲介腔壁に接触したときに対耳輪近傍から外耳道口に伸びる形状に構成される筐体と、を有する軟骨伝導スピーカと、軟骨伝導スピーカを保持する保持部と、軟骨伝導スピーカが保持部に保持されたときに振動面の反対側に位置する保持部の正面部と、振動面が耳甲介腔壁に接触したとき保持部の正面部から耳珠及び対耳珠の間を通過して珠間切痕に向かう方向に伸びており、かつ、耳珠内面、対耳珠内面及び珠間切痕表面に接触する第１突起部と、を有する軟骨伝導スピーカカバーと、を備える、ことを特徴としている。
【０００８】
これにより、本発明の軟骨伝導補聴器は、第１突起部が耳珠内面及び対耳珠内面から反発力を受け、その反発力が保持部の正面部を介して振動面を耳甲介腔壁に密着させることができる。また、本発明の軟骨伝導補聴器の使用者は、耳甲介腔壁及び外耳道口に接触する位置に軟骨伝導スピーカを保持させることができる。
【０００９】
（２）また、本発明の軟骨伝導補聴器において、第１突起部は、軟骨伝導スピーカが保持部に保持されたときに保持部の正面部から振動面の反対側及び珠間切痕に向かう方向に放物線状に伸びている、ことが好ましい。
【００１０】
これにより、第１突起部が耳珠内面及び対耳珠内面から受けた反発力を振動面に効率的に伝えることができる。
【００１１】
（３）また、本発明の軟骨伝導補聴器において、軟骨伝導スピーカカバーは、軟骨伝導スピーカが保持部に保持されたときに外耳道口の反対側に位置する保持部の後端面部と、保持部の後端面部から対耳輪に向かう方向に伸びており、かつ、対耳珠内面及び対耳輪内面のうち少なくとも対耳輪内面に接触する第２突起部と、を更に有する、ことが好ましい。
【００１２】
これにより、本発明の軟骨伝導補聴器は、軟骨伝導スピーカが耳甲介腔壁及び外耳道口に接触する位置に保持させる際に軟骨伝導スピーカが当該位置で不意に回転又は脱落してしまうことを防止することができる。
【００１３】
（４）また、本発明の軟骨伝導補聴器において、第２突起部は、対耳輪の下方から対耳輪内面を沿って対耳輪の上方に向かう方向に湾曲して伸びている、ことが好ましい。
【００１４】
これにより、第２突起部が対耳珠内面及び対耳輪内面のうち少なくとも対耳輪内面から反発力を受け、その反発力が第１突起部を耳珠内面に押し付けるため、第１突起部が耳珠内面及び対耳珠内面から受ける反発力を大きくすることができる。また、本発明の軟骨伝導補聴器の使用者は、耳甲介腔壁及び外耳道口に接触する位置に軟骨伝導スピーカを安定的に保持させることができる。
【００１５】
（５）また、本発明の軟骨伝導補聴器において、保持部、第１突起部及び第２突起部のうち少なくとも第１突起部及び第２突起部は、軟質合成樹脂、軟質合成ゴム、エラストマその他の軟質弾性素材により構成されている、ことが好ましい。
【００１６】
これにより、本発明の軟骨伝導補聴器は、軟骨伝導スピーカを保持する軟骨伝導スピーカを装着した使用者が受ける不快感を抑制することができる。
【００１７】
（６）また、本発明の軟骨伝導補聴器において、第１突起部及び第２突起部は、その根元から先端に向かって細くなる形状に構成されている、ことが好ましい。
【００１８】
これにより、本発明の軟骨伝導補聴器は、釣竿効果に基づき、第１突起部及び第２突起部が耳珠や耳介輪などに接触して弾性変形する量が大きくなるほど、第１突起部及び第２突起部が受ける反発力を大きくすることができる。
【００１９】
（７）また、本発明の軟骨伝導補聴器において、軟骨伝導スピーカは、外耳道口を部分的に開放する形状に構成されており、保持部は、軟骨伝導スピーカが耳甲介腔壁に装着されたときに外耳道口を部分的に開放する形状に構成される、ことが好ましい。
【００２０】
これにより、本発明の軟骨伝導補聴器は、軟骨伝導スピーカ及び軟骨伝導スピーカカバーが耳甲介腔に装着されたときに外耳道に閉塞感を与えることを抑制することができる。
【００２１】
（８）また、前述した目的を達成するため、本発明の軟骨伝導スピーカカバーは、耳介軟骨伝導の際に耳甲介腔壁に接触させる振動面を有するとともに対耳輪近傍から外耳道口に伸びる形状に構成される軟骨伝導スピーカを保持する保持部と、軟骨伝導スピーカが保持部に保持されたときに振動面の反対側に位置する保持部の正面部と、軟骨伝導スピーカが耳甲介腔に装着されたときに保持部の正面部から耳珠及び対耳珠の間を通過して珠間切痕に向かう方向に伸びており、かつ、耳珠内面、対耳珠内面及び珠間切痕表面に接触する第１突起部と、を備えることを特徴とする。
【００２２】
これにより、本発明の軟骨伝導スピーカカバーにおいて、第１突起部が耳珠内面及び対耳珠内面から反発力を受け、その反発力が保持部の正面部を介して振動面を耳甲介腔壁に密着させることができる。また、本発明の軟骨伝導スピーカカバーの使用者は、耳甲介腔壁及び外耳道口に接触する位置に軟骨伝導スピーカを保持させることができる。
【００２３】
（９）また、前述した目的を達成するため、本発明の軟骨伝導スピーカは、耳介軟骨伝導の際に耳甲介腔壁に接触させる振動面と、振動面が耳甲介腔壁に接触したときに耳甲介腔壁から外耳道口に伸びる形状に構成される筐体本体部と、耳甲介腔に装着されたときに保持部の正面部から耳珠及び対耳珠の間を通過して珠間切痕に向かう方向に伸びており、かつ、耳珠内面、対耳珠内面及び珠間切痕表面に接触する第１突起部と、を有する筐体と、を備えることを特徴とする。
【００２４】
これにより、本発明の軟骨伝導スピーカにおいて、第１突起部が耳珠内面及び対耳珠内面から反発力を受け、その反発力が保持部の正面部を介して振動面を耳甲介腔壁に密着させることができる。また、本発明の軟骨伝導スピーカの使用者は、耳甲介腔壁及び外耳道口に接触する位置に軟骨伝導スピーカを保持させることができる。
【発明の効果】
【００２５】
本発明の軟骨伝導補聴器、軟骨伝導スピーカカバー及び軟骨伝導スピーカによれば、第１突起部が受けた反発力が保持部の正面部を介して振動面を耳甲介腔壁に密着させたり、甲介腔壁及び外耳道口に接触する位置に軟骨伝導スピーカを保持させることができたりする等により、軟骨伝導性及び装着感の向上に寄与することができるという効果を奏する。
【図面の簡単な説明】
【００２６】
【図１】本実施形態の軟骨伝導補聴器に備わる本実施形態の軟骨伝導スピーカ及び本実施形態の軟骨伝導スピーカカバーを示す斜視図である。
【図２】本実施形態の軟骨伝導補聴器に備わる本実施形態の軟骨伝導スピーカ及び本実施形態の軟骨伝導スピーカカバーを示す正面図である。
【図３】本実施形態の軟骨伝導補聴器に備わる本実施形態の軟骨伝導スピーカ及び本実施形態の軟骨伝導スピーカカバーを示す背面図である。
【図４】本実施形態の軟骨伝導補聴器に備わる本実施形態の軟骨伝導スピーカ及び本実施形態の軟骨伝導スピーカカバーを示す右側面図である。
【図５】本実施形態の軟骨伝導補聴器に備わる本実施形態の軟骨伝導スピーカ及び本実施形態の軟骨伝導スピーカカバーを示す左側面図である。
【図６】本実施形態の軟骨伝導補聴器に備わる本実施形態の軟骨伝導スピーカ及び本実施形態の軟骨伝導スピーカカバーを示す平面図である。
【図７】本実施形態の軟骨伝導補聴器に備わる本実施形態の軟骨伝導スピーカ及び本実施形態の軟骨伝導スピーカカバーを示す底面図である。
【図８】本実施形態の軟骨伝導補聴器に備わる軟骨伝導補聴器本体及び被覆電線を示す斜視図である。
【図９】本実施形態の軟骨伝導スピーカ及び本実施形態の軟骨伝導スピーカカバーが耳甲介腔に装着された状態を示す装着図である。
【図１０】本実施形態の軟骨伝導スピーカを示す斜視図である。図１０（Ａ）は本実施形態の軟骨伝導スピーカを示す正面斜視図である。図１０（Ｂ）は本実施形態の軟骨伝導スピーカを示す背面斜視図である。
【図１１】本実施形態の軟骨伝導スピーカカバーを示す背面斜視図である。
【図１２】耳介の各名称を示す説明図である。
【発明を実施するための形態】
【００２７】
以下、図を用いて、本実施形態の軟骨伝導補聴器、軟骨伝導スピーカカバー及び軟骨伝導スピーカを説明する。
【００２８】
［図の説明］
図１は、本実施形態の軟骨伝導補聴器に備わる本実施形態の軟骨伝導スピーカ及び本実施形態の軟骨伝導スピーカカバーを示す斜視図である。図２は、本実施形態の軟骨伝導補聴器に備わる本実施形態の軟骨伝導スピーカ及び本実施形態の軟骨伝導スピーカカバーを示す正面図である。図３は、本実施形態の軟骨伝導補聴器に備わる本実施形態の軟骨伝導スピーカ及び本実施形態の軟骨伝導スピーカカバーを示す背面図である。図４は、本実施形態の軟骨伝導補聴器に備わる本実施形態の軟骨伝導スピーカ及び本実施形態の軟骨伝導スピーカカバーを示す右側面図である。図５は、本実施形態の軟骨伝導補聴器に備わる本実施形態の軟骨伝導スピーカ及び本実施形態の軟骨伝導スピーカカバーを示す左側面図である。図６は、本実施形態の軟骨伝導補聴器に備わる本実施形態の軟骨伝導スピーカ及び本実施形態の軟骨伝導スピーカカバーを示す平面図である。図７は、本実施形態の軟骨伝導補聴器に備わる本実施形態の軟骨伝導スピーカ及び本実施形態の軟骨伝導スピーカカバーを示す底面図である。図８は、本実施形態の軟骨伝導補聴器に備わる補聴器本体及び被覆電線を示す斜視図である。図９は、本実施形態の軟骨伝導スピーカ及び本実施形態の軟骨伝導スピーカカバーが耳甲介腔に装着された状態を示す装着図である。図１０は、本実施形態の軟骨伝導スピーカを示す斜視図である。図１０（Ａ）は本実施形態の軟骨伝導スピーカを示す正面斜視図である。図１０（Ｂ）は本実施形態の軟骨伝導スピーカを示す背面斜視図である。図１１は、本実施形態の軟骨伝導スピーカカバーを示す背面斜視図である。図１２は、耳介の各名称を示す説明図である。
【００２９】
［１］軟骨伝導補聴器１の構成
本実施形態の軟骨伝導補聴器１は、図１〜図１１に示すように、軟骨伝導スピーカ２と、軟骨伝導スピーカカバー３と、補聴器本体４と、被覆電線５と、を備える。
【００３０】
（１−１）軟骨伝導スピーカ２
本実施形態の軟骨伝導スピーカ２は、図９及び図１０に示すように、振動面２１と、筐体２２と、軟骨伝導ドライバと、を有する。
【００３１】
（１−１−１）振動面２１
振動面２１は、耳介軟骨伝導の際に耳甲介腔壁Ｈに接触させる。ここで、本明細書において、耳甲介腔壁Ｈとは、耳甲介腔Ｉに面する皮膚壁のうち図１２に示すような耳介Ａの正面視において正面に位置する皮膚壁（例えば図１２の斜線部分）をいう。また、軟骨伝導率を向上させるため、振動面２１は耳甲介腔壁Ｈのうち外耳道口Ｂに近い面に接触させることが好ましい。
【００３２】
また、振動面２１は、振動面２１が耳甲介腔壁Ｈに接触したときに対耳輪Ｆ近傍から外耳道口Ｂに伸びる方向（以下、「前後方向」という。）を長手方向とする略楕円形状又は略長方形状であって耳輪脚Ｇから珠間切痕Ｅに向かう方向（以下、「上下方向」という。）の幅が外耳道口Ｂから対耳輪Ｆに向かって細くなる形状に構成されていることが好ましい。また、振動面２１は、軟骨伝導率を向上させるため、耳甲介腔壁Ｈに沿うような滑らかな凸状湾曲面であることが好ましい。
【００３３】
（１−１−２）筐体２２
筐体２２は、振動面２１が耳甲介腔壁Ｈに接触したときに前後方向を長手方向とする略楕円柱形状又は略四角柱形状であって上下方向の幅が外耳道口Ｂから対耳輪Ｆに向かって細くなる形状に構成されていることが好ましい。
【００３４】
また、軟骨伝導スピーカ２の筐体２２は、外耳道口Ｂを部分的に開放する形状に構成されていることが好ましい。本実施形態においては、筐体２２における上下方向の幅が外耳道口Ｂの口径よりも小さくなっている。
【００３５】
また、筐体２２は、振動面２１と別体又は一体のどちらであってもよい。
【００３６】
（１−１−３）軟骨伝導ドライバ
軟骨伝導ドライバは、軟骨伝導スピーカ２に内蔵されており、振動面２１及び筐体２２に囲まれている。
【００３７】
軟骨伝導ドライバは、例えば、ヨーク、ボイスコイル、マグネットその他の従来と同様の構成要素を有する電磁型の電気機械変換器である。また、軟骨伝導ドライバは、被覆電線５を介して軟骨伝導スピーカ２に出力することにより、補聴器本体４で集音した外部音声を軟骨導音及び気導音として聴覚器官に伝達する。
【００３８】
（１−２）軟骨伝導スピーカカバー３
軟骨伝導スピーカカバー３は、軟質合成樹脂、軟質合成ゴム、エラストマその他の軟質弾性素材を用いて構成されていることが好ましい。
【００３９】
この軟骨伝導スピーカカバー３は、図１〜図１１に示すように、保持部３３と、第１突起部３１と、を有する。また、軟骨伝導スピーカカバー３は、第２突起部３２と、を更に有することが好ましい。
【００４０】
（１−２−１）保持部３３
保持部３３は、軟骨伝導スピーカ２の振動面２１を除いた部分を覆う形状に構成されている。本実施形態において、保持部３３は、軟骨伝導スピーカ２が保持部３３に保持されたときに振動面２１の反対側に位置する正面部３３ａと、上記した前後方向及び上下方向に基づいて定められた前端面部３３ｂと、後端面部３３ｃと、上端面部３３ｄと、下端面部３３ｅと、を有している。
【００４１】
保持部３３は軟質弾性素材で構成されている。これにより、保持部３３は、保持部３３の弾性狭持力によって、軟骨伝導スピーカ２の側面及び振動面２１の反対面２３を保持する。
【００４２】
また、保持部３３は、軟骨伝導スピーカ２が耳甲介腔壁Ｈに装着されたときに外耳道口Ｂを部分的に開放する形状に構成されていることが好ましい。本実施形態においては、軟骨伝導スピーカ２の筐体２２の大きさに応じて、保持部３３における上下方向の幅も外耳道口Ｂの口径より小さくなっている。
【００４３】
（１−２−２）第１突起部３１
第１突起部３１は、振動面２１が耳甲介腔壁Ｈに接触したときに保持部３３の正面部３３ａから耳珠Ｃ及び対耳珠Ｄの間を通過して珠間切痕Ｅに向かう方向に伸びている。また、第１突起部３１は、振動面２１が耳甲介腔壁Ｈに接触したときに、耳珠Ｃ内面、対耳珠Ｄ内面及び珠間切痕Ｅ表面に接触する。
【００４４】
第１突起部３１は、軟骨伝導スピーカ２が保持部３３に保持されたときに、保持部３３の正面部３３ａから振動面２１の反対側及び珠間切痕Ｅに向かう方向に放物線状に湾曲して伸びていることが好ましい。これは、第１突起部３１が耳珠Ｃ内面、対耳珠Ｄ内面及び珠間切痕Ｅ表面に接触したときに、その反発力を振動面２１と耳甲介腔壁Ｈとの接触力に利用できるためである。そして、軟骨伝導スピーカ２の位置ズレを防ぐこととなる。
【００４５】
また、第１突起部３１は、その根元から先端に向かって細くなる形状に構成されていることが好ましい。
【００４６】
また、第１突起部３１は、耳珠Ｃの接触部３１ａと対耳珠Ｄの接触部３１ｂとの間に、保持部３３の正面部３３ａから珠間切痕Ｅに向かう溝形状の圧力調整部３４を有してもよい。これは、第１突起部３１が耳珠Ｃ内面、対耳珠Ｄ内面及び珠間切痕Ｅ表面に接触したときに、その反発力が強すぎて耳珠Ｃ内面及び対耳珠Ｄ内面に痛みが発生することを防止するためである。
【００４７】
（１−２−３）第２突起部３２
第２突起部３２は、軟骨伝導スピーカ２が保持部３３に保持されたときに、保持部３３の後端面部３３ｃから対耳輪Ｆに向かう方向に伸びている。また、第２突起部３２は、振動面２１が耳甲介腔壁Ｈに接触したときに、対耳珠Ｄ内面及び対耳輪Ｆ内面のうち少なくとも対耳輪Ｆ内面に接触する。これにより、第２突起部３２が対耳珠Ｄ内面及び対耳輪Ｆ内面に接触したときに、その反発力を振動面２１と耳甲介腔壁Ｈとの接触力に利用できるので、軟骨伝導スピーカ２が耳甲介腔壁Ｈに安定的に配置される。
【００４８】
また、第２突起部３２は、対耳輪Ｆの下方から対耳輪Ｆ内面を沿って対耳輪Ｆの上方に向かう方向に湾曲して伸びていることが好ましい。また、第２突起部３２は、その根元から先端に向かって細くなる湾曲した略円錐形状に構成されていることが好ましい。この場合、湾曲方向及びその反発力を所望の方向に制御するため、第２突起部３２は対耳輪Ｆ内面に沿って湾曲する形状に構成されていることが好ましい。
【００４９】
（１−３）補聴器本体４
補聴器本体４は、図１２に示す耳介Ａの後部に装着されるため、略弓形状に構成されている。この補聴器本体４は、従来と同様、マイクロホン、アンプ、Ａ／Ｄコンバータ、制御回路、軟骨伝導用回路、音声信号出力回路、などのデジタル軟骨伝導補聴器１の本体に必要な構成要素を有する。
【００５０】
（１−４）被覆電線５
被覆電線５は、図１及び図８に示すように、補聴器本体４から出力された信号を軟骨伝導スピーカ２に伝送する。被覆電線５は、従来と同様、電線と、絶縁性の被覆部と、を有する。本実施形態においては補聴器本体４及び軟骨伝導スピーカ２が有線接続されているために被覆電線５が用いられている。そのため、補聴器本体４及び軟骨伝導スピーカ２が電波により無線接続されている場合、被覆電線５は不要である。
【００５１】
［２］効果
次に、本実施形態の軟骨伝導補聴器１、軟骨伝導スピーカカバー３及び軟骨伝導スピーカ２の効果を説明する。
【００５２】
（１）本実施形態の軟骨伝導補聴器１は、耳介軟骨伝導の際に耳甲介腔壁Ｈに接触させる振動面２１と、振動面２１が耳甲介腔壁Ｈに接触したときに対耳輪Ｆ近傍から外耳道口Ｂに伸びる形状に構成される筐体２２と、を有する軟骨伝導スピーカ２と、軟骨伝導スピーカ２を保持する保持部３３と、軟骨伝導スピーカ２が保持部３３に保持されたときに振動面２１の反対側に位置する保持部３３の正面部３３ａと、振動面２１が耳甲介腔壁Ｈに接触したとき保持部３３の正面部３３ａから耳珠Ｃ及び対耳珠Ｄの間を通過して珠間切痕Ｅに向かう方向に伸びており、かつ、耳珠Ｃ内面、対耳珠Ｄ内面及び珠間切痕Ｅ表面に接触する第１突起部３１と、を有する軟骨伝導スピーカカバー３と、を備える、ことを特徴としている。
【００５３】
軟骨伝導スピーカ２は、耳甲介腔壁Ｈに接触して耳甲介腔Ｉ内に保持される。また、軟骨伝導スピーカカバー３の第１突起部３１は、耳珠Ｃ内面及び対耳珠Ｄ内面に接触することにより、耳珠Ｃ内面及び対耳珠Ｄ内面から振動面２１に対して反発力が与えられる。この反発力が強いほど振動面２１が耳甲介腔壁Ｈに接触する力が強くなるため、骨伝導性が向上する。また、第１突起部３１は、耳珠Ｃ内面、対耳珠Ｄ内面及び珠間切痕Ｅに接触することにより、軟骨伝導スピーカカバー３に保持された軟骨伝導スピーカ２が耳甲介腔壁Ｈ内で回転することを抑制する。
【００５４】
つまり、本実施形態の軟骨伝導補聴器１は、第１突起部３１が耳珠Ｃ内面及び対耳珠Ｄ内面から反発力を受け、その反発力が保持部３３の正面部３３ａを介して振動面２１を耳甲介腔壁Ｈに密着させることができる。また、本実施形態の軟骨伝導補聴器１の使用者は、耳甲介腔壁Ｈ及び外耳道口Ｂに接触する位置に軟骨伝導スピーカ２を保持させることができる。
【００５５】
（２）また、本実施形態の軟骨伝導補聴器１において、第１突起部３１は、軟骨伝導スピーカ２が保持部３３に保持されたときに保持部３３の正面部３３ａから振動面２１の反対側及び珠間切痕Ｅに向かう方向に放物線状に伸びている、ことが好ましい。
【００５６】
第１突起部３１が耳珠Ｃ内面及び対耳珠Ｄ内面から受ける反発力を保持部３３の正面部３３ａに伝えることかできる。保持部３３の正面部３３ａは振動面２１の反対側に位置するため、保持部３３の正面部３３ａに受ける反発力のうち垂直にかかる力が大きくなるほど、振動面２１が耳甲介腔Ｉに密着する力が大きくなる。
【００５７】
つまり、第１突起部３１が耳珠Ｃ内面及び対耳珠Ｄ内面から受けた反発力を振動面２１に効率的に伝えることができる。
【００５８】
（３）また、本実施形態の軟骨伝導補聴器１において、軟骨伝導スピーカカバー３は、軟骨伝導スピーカ２が保持部３３に保持されたときに外耳道口Ｂの反対側に位置する保持部３３の後端面部３３ｃと、保持部３３の後端面部３３ｃから対耳輪Ｆに向かう方向に伸びており、かつ、対耳珠Ｄ内面及び対耳輪Ｆ内面のうち少なくとも対耳輪Ｆ内面に接触する第２突起部３２と、を更に有する、ことが好ましい。
【００５９】
第２突起部３２は、対耳珠Ｄ内面及び対耳輪Ｆ内面のうち少なくとも対耳輪Ｆ内面に接触することにより、少なくとも対耳輪Ｆ内面から振動面２１及び耳珠Ｃに対して反発力が与えられる。また、第２突起部３２は、対耳輪Ｆ内面に接触することにより、軟骨伝導スピーカカバー３に保持された軟骨伝導スピーカ２が耳甲介腔壁Ｈ内で回転することを抑制することに大きく貢献する。
【００６０】
つまり、本実施形態の軟骨伝導補聴器１は、軟骨伝導スピーカ２が耳甲介腔壁Ｈ及び外耳道口Ｂに接触する位置に保持させる際に軟骨伝導スピーカ２が当該位置で不意に回転又は脱落してしまうことを防止することができる。
【００６１】
（４）また、本実施形態の軟骨伝導補聴器１において、第２突起部３２は、対耳輪Ｆの下方から対耳輪Ｆ内面を沿って対耳輪Ｆの上方に向かう方向に湾曲して伸びている、ことが好ましい。
【００６２】
第２突起部３２が対耳輪Ｆ内面を沿って伸びるほど、第２突起部３２が第１突起部３１を耳珠Ｃ内面に押し出す力が強くなる。
【００６３】
これにより、第２突起部３２が対耳珠Ｄ内面及び対耳輪Ｆ内面のうち少なくとも対耳輪Ｆ内面から反発力を受け、その反発力が第１突起部３１を耳珠Ｃ内面に押し付けるため、第１突起部３１が耳珠Ｃ内面及び対耳珠Ｄ内面から受ける反発力を大きくすることができる。また、本実施形態の軟骨伝導補聴器１の使用者は、耳甲介腔壁Ｈ及び外耳道口Ｂに接触する位置に軟骨伝導スピーカ２を安定的に保持させることができる。
【００６４】
（５）また、本実施形態の軟骨伝導補聴器１において、保持部３３、第１突起部３１及び第２突起部３２のうち少なくとも第１突起部３１及び第２突起部３２は、軟質合成樹脂、軟質合成ゴム、エラストマその他の軟質弾性素材により構成されている、ことが好ましい。
【００６５】
これにより、本実施形態の軟骨伝導補聴器１は、軟骨伝導スピーカ２を保持する軟骨伝導スピーカ２を装着した使用者が受ける不快感を抑制することができる。
【００６６】
（６）また、本実施形態の軟骨伝導補聴器１において、第１突起部３１及び第２突起部３２は、その根元から先端に向かって細くなる形状に構成されている、ことが好ましい。
【００６７】
これにより、本実施形態の軟骨伝導補聴器１は、釣竿効果に基づき、第１突起部３１及び第２突起部３２が耳珠Ｃや耳介Ａ輪などに接触して弾性変形する量が大きくなるほど、第１突起部３１及び第２突起部３２が受ける反発力を大きくすることができる。
【００６８】
（７）また、本実施形態の軟骨伝導補聴器１において、軟骨伝導スピーカ２は、外耳道口Ｂを部分的に開放する形状に構成されており、保持部３３は、軟骨伝導スピーカ２が耳甲介腔壁Ｈに装着されたときに外耳道口Ｂを部分的に開放する形状に構成される、ことが好ましい。
【００６９】
これにより、本実施形態の軟骨伝導補聴器１は、軟骨伝導スピーカ２及び軟骨伝導スピーカカバー３が耳甲介腔Ｉに装着されたときに外耳道に閉塞感を与えることを抑制することができる。
【００７０】
（８）また、本実施形態の軟骨伝導スピーカカバー３は、耳介軟骨伝導の際に耳甲介腔壁Ｈに接触させる振動面２１を有するとともに対耳輪Ｆ近傍から外耳道口Ｂに伸びる形状に構成される軟骨伝導スピーカ２を保持する保持部３３と、軟骨伝導スピーカ２が保持部３３に保持されたときに振動面２１の反対側に位置する保持部３３の正面部３３ａと、軟骨伝導スピーカ２が耳甲介腔Ｉに装着されたときに保持部３３の正面部３３ａから耳珠Ｃ及び対耳珠Ｄの間を通過して珠間切痕Ｅに向かう方向に伸びており、かつ、耳珠Ｃ内面、対耳珠Ｄ内面及び珠間切痕Ｅ表面に接触する第１突起部３１と、を備えることを特徴とする。
【００７１】
これにより、本実施形態の軟骨伝導スピーカカバー３において、第１突起部３１が耳珠Ｃ内面及び対耳珠Ｄ内面から反発力を受け、その反発力が保持部３３の正面部３３ａを介して振動面２１を耳甲介腔壁Ｈに密着させることができる。また、本実施形態の軟骨伝導スピーカカバー３の使用者は、耳甲介腔壁Ｈ及び外耳道口Ｂに接触する位置に軟骨伝導スピーカ２を保持させることができる。
【００７２】
すなわち、本実施形態の軟骨伝導補聴器１、軟骨伝導スピーカカバー３及び軟骨伝導スピーカ２によれば、第１突起部３１が受けた反発力が保持部３３の正面部３３ａを介して振動面２１を耳甲介腔壁Ｈに密着させたり、甲介腔壁及び外耳道口Ｂに接触する位置に軟骨伝導スピーカ２を保持させることができたりする等により、軟骨伝導性及び装着感の向上に寄与することができるという効果を奏する。
【００７３】
［他の実施形態］
なお、本発明は、前述した実施形態などに限定されるものではなく、必要に応じて種々の変更が可能である。
【００７４】
例えば、本実施形態の軟骨伝導補聴器は右耳に合わせて形成されている。本実施形態の軟骨伝導補聴器を左耳用にする場合、例えば、本実施形態の軟骨伝導補聴器の形状を左右対称にすればよい。
【００７５】
また、本実施形態においては、軟骨伝導スピーカ及び軟骨伝導スピーカカバーが別体となっている。しかし、他の実施形態においては、軟骨伝導スピーカ及び軟骨伝導スピーカカバーが一体となっていても良い。
【００７６】
（９）つまり、他の実施形態の軟骨伝導スピーカは、耳介軟骨伝導の際に耳甲介腔壁に接触させる振動面と、振動面が耳甲介腔壁に接触したときに対耳輪近傍から外耳道口に伸びる形状に構成される筐体本体部と、振動面が耳甲介腔壁に接触したときに振動面の反対面から耳珠及び対耳珠の間を通過して珠間切痕に向かう方向に伸びており、かつ、耳珠内面、対耳珠内面及び珠間切痕表面に接触する第１突起部と、を有する筐体と、振動面が耳甲介腔壁に接触したときに外耳道口の反対側に位置する筐体本体部の後端面部と、筐体本体部の後端面部から対耳輪に向かう方向に伸びており、かつ、対耳珠内面及び対耳輪内面のうち少なくとも対耳輪内面に接触する第２突起部と、を備える。
【００７７】
これにより、他の実施形態の軟骨伝導スピーカにおいて、第１突起部が耳珠内面及び対耳珠内面から反発力を受け、その反発力が保持部の正面部を介して振動面を耳甲介腔壁に密着させることができる。また、他の実施形態の軟骨伝導スピーカの使用者は、耳甲介腔壁及び外耳道口に接触する位置に軟骨伝導スピーカを保持させることができる。また、他の実施形態の軟骨伝導補聴器は、軟骨伝導スピーカが耳甲介腔壁及び外耳道口に接触する位置に保持させる際に軟骨伝導スピーカが当該位置で不意に回転又は脱落してしまうことを防止することができる。
【符号の説明】
【００７８】
１  軟骨伝導補聴器
２  軟骨伝導スピーカ
３  軟骨伝導スピーカカバー
４  補聴器本体
５  被覆電線
２１  振動面
２２  筐体
２３  振動面の反対面
３１  第１突起部
３１ａ  耳珠との接触部
３１ｂ  対耳珠との接触部
３２  第２突起部
３３  保持部
３３ａ  保持部の正面部
３３ｂ  保持部の前端面部
３３ｃ  保持部の後端面部
３３ｄ  保持部の上端面部
３３ｅ  保持部の下端面部
３４  圧力調整部
Ａ  耳介
Ｂ  外耳道口
Ｃ  耳珠
Ｄ  対耳珠
Ｅ  珠間切痕
Ｆ  対耳輪
Ｇ  耳輪脚
Ｈ  耳甲介腔壁
Ｉ  耳甲介腔
【図１】
2016063276.tif 000003
【図２】
2016063276.tif 000004
【図３】
2016063276.tif 000005
【図４】
2016063276.tif 000006
【図５】
2016063276.tif 000007
【図６】
2016063276.tif 000008
【図７】
2016063276.tif 000009
【図８】
2016063276.tif 000010
【図９】
2016063276.tif 000011
【図１０】
2016063276.tif 000012
【図１１】
2016063276.tif 000013
【図１２】
2016063276.tif 000014